(57)【要約】      （修正有）【課題】注ぎ口における液だれを防止することができる紙パック容器を提供する。【解決手段】紙パック容器１０は、切妻屋根型のトップ部１１を有し、トップ部１１には、開閉可能な注ぎ口２７が含まれ、注ぎ口２７の上部略中央付近にＶ字形状の切り欠き部２５が設けられる。【選択図】図１
0003217655.tif 000002
【実用新案登録請求の範囲】
【請求項１】
切妻屋根型のトップ部を有する紙パック容器であって、
前記トップ部には、開閉可能な注ぎ口が含まれ、
前記注ぎ口の上部略中央付近に流域幅が狭い切り欠き部を設けた、
ことを特徴とする紙パック容器。
【請求項２】
前記切り欠き部は、略Ｖ字形状であり、前記注ぎ口の上端縁側が広く下方に向かって狭くなるように設けられ、谷部が前記注ぎ口の開口幅の略中心部に位置する、
ことを特徴とする請求項１に記載の紙パック容器。
【請求項３】
前記切り欠き部は縁部に撥水手段が設けられる、
ことを特徴とする請求項１または請求項２に記載の紙パック容器。
【請求項４】
前記注ぎ口は、内方への折り込みと外方へ突出が可能に構成される、
ことを特徴とする請求項１乃至請求項３のいずれかに記載の紙パック容器。
【請求項５】
低粘度の液体が収容される、
ことを特徴とする請求項１乃至請求項４のいずれかに記載の紙パック容器。
【考案の詳細な説明】
【技術分野】
【０００１】
本考案は、注ぎ口における液だれを防止できる紙パック容器に関する。
【背景技術】
【０００２】
従来、飲料（例えば、牛乳やジュース）等の液体を収容する容器として、切妻屋根型のトップ部を有する四角柱状の紙パック容器（いわゆるゲーブルトップ型紙パック容器）が知られている。
【０００３】
このようなゲーブルトップ型紙パック容器は、トップ部において対向する一組の妻パネルが山型に折り込み可能に構成され、当該妻パネルを内方に折り込んで封止されている。そして、開封の際には、一方の妻パネルを外方にくちばし状に突出させることによって菱形状に開口した注ぎ口が形成される（例えば、特許文献１参照）。
【先行技術文献】
【特許文献】
【０００４】
【特許文献１】特開２０１７−１９５５８号公報
【考案の概要】
【考案が解決しようとする課題】
【０００５】
しかしながら、従来の注ぎ口では、注ぎ終わりの段階において口ばし状の先端部に液体が或る程度収束するものの、その流出域は定まっていない。このため液体が注ぎ口の外側に回り込みやすく、液だれが生じる問題があった。
【０００６】
また、紙パック容器は一般的に、最初の開封時にトップシールされた妻パネルの上端部を剥離して注ぎ口を形成する。しかしながら剥離が良好にできず、注ぎ口の上端部が意図しない形状に変形や破損して不均一な形状となる場合もあり、これも液だれの大きな要因となる。
【０００７】
本考案は、斯かる実情に鑑み、注ぎ口における液だれを防止することができる紙パック容器を提供しようとするものである。
【課題を解決するための手段】
【０００８】
本考案は、切妻屋根型のトップ部を有する紙パック容器であって、前記トップ部には、開閉可能な注ぎ口が含まれ、前記注ぎ口の上部略中央付近に流域幅が狭い切り欠き部を設けた、ことを特徴とする紙パック容器にかかるものである。
【０００９】
また、前記切り欠き部は、略Ｖ字形状であり、前記注ぎ口の上端縁側が広く下方に向かって狭くなるように設けられ、谷部が前記注ぎ口の開口幅の略中心部に位置する、ものであってもよい。
【００１０】
また、前記切り欠き部は縁部に撥水手段が設けられる、ものであってもよい。
【００１１】
また、前記注ぎ口は、内方への折り込みと外方へ突出が可能に構成される、ものであってもよい。
【００１２】
また、低粘度の液体が収容される、ものであってもよい。
【考案の効果】
【００１３】
本考案によれば、紙パック容器において、注ぎ口の液だれを防止することができる、という優れた効果を奏し得る。
【図面の簡単な説明】
【００１４】
【図１】本考案の実施形態に係る紙パック容器の一部を抜き出して示す外観斜視図である。
【図２】本考案の実施形態に係る紙パック容器の一部を抜き出して示す図であり（ａ）側面図、（ｂ）正面図、（ｃ）切り欠き部の正面拡大図である。
【考案を実施するための形態】
【００１５】
以下、本考案の実施の形態を添付図面を参照して説明する。図１は、本実施形態の紙パック容器１０のトップ部１１付近を抜き出して示す外観斜視図である。また、図２は、注ぎ口２７を開放した状態における注ぎ口２７付近を示す図であり、同図（ａ）が側面図、同図（ｂ）が妻パネル１５方向から見た正面図である。
【００１６】
図１（ａ）に示すように、本実施形態の紙パック容器１０は、切妻屋根型のトップ部１１と、四角柱状の胴部２１を有する紙容器であり、いわゆるゲーブルトップ型紙パック容器である。
【００１７】
胴部２１は、４枚の側パネル２２を筒状に連接してなり、その上辺にトップ部１１を構成する４枚のパネル１２、１５が連接されている。また図示は省略するが、胴部２１の下辺には底部を構成するパネルが連接されている。
【００１８】
トップ部１１は、切妻屋根型の屋根部分となる対向する一対のパネル（以下、屋根パネル１２という）と、切妻屋根型の妻部分となる対向する他の一対のパネル（以下、妻パネル１５という）により構成される。屋根パネル１２と妻パネル１５とは胴部２１の周方向に沿って交互に順次環状に連設されている。
【００１９】
屋根パネル１２はそれぞれ、四角形状の傾斜片１３と外側シール片１４により構成される。傾斜片１３は、側パネル２２の上辺に連接され、外側シール片１４は、傾斜片１３の上辺に連設される。傾斜片１３にはその一部の折り返し領域１３ａを折り返す折り目１３ｂが形成されている。
【００２０】
同図（ｂ）、同図（ｃ）に示すように、妻パネル１５はそれぞれ、三角形状（山形状）の折り込み片１６と、一対の折り返し片１７と、内側シール片１８により構成される。折り込み片１６は、その底辺が側パネル２２の上辺に連接され、２つの斜辺にそれぞれ折り返し片１７の一辺が連設される。折り返し片１７の側方の辺は屋根パネル１２の傾斜片１３（その折り返し領域１３ａ）に連設され、折り返し片１７の上方の辺は、内側シール片１８に連接される。
【００２１】
本実施形態の紙パック容器１０は、一対の妻パネル１５の少なくとも一方（注ぎ口２７となる妻パネル１５）の上部略中央付近に、液体の流出域を狭めるＶ字形状の切り欠き部２５を有する。この例では、図１における右（右下）側の妻パネル１５を開放すると注ぎ口２７となる。切り欠き部２５の詳細については後述するが、この例では、内側シール片１８の幅方向Ｗの中心付近に設けられる。
【００２２】
この紙パック容器１０を開閉する方法について引き続き説明すると、同図（ａ）に示すように、この紙パック容器１０の封止状態（密封状態）では、折り込み片１６と折り返し片１７との境界の折り曲げ線を内側に折り込むようにして（谷折りして）、妻パネル１５が屋根パネル１２の間に折り込まれる。また、内側シール片１８は幅方向Ｗの中心部の折り曲げ線を内側に折り込むようにして（谷折りして）、外側シール片１４の間に折り込まれ、既知のヒートシールなどによりシールされている。
【００２３】
開封時には、同図（ｂ）に示すように、注ぎ口２７となる一方の妻パネル１５の折り返し片１７が外側に露出するように、折り返し片１７を中心部分から押し広げる。具体的には、一対の折り返し片１７が折り込み片１６と略同一平面になるように、あるいは、折り込み片１６と折り返し片１７との境界の折り曲げ線が外側に折り返されるように（山折りされるように）一対の折り返し片１７を中心部分から押し広げる。これにより屋根パネル１２の傾斜片１３の折り返し領域１３ａは、折り目１３ｂから谷折りされる。
【００２４】
その後、同図（ｃ）に示すように、押し広げた折り返し片１７に連接する内側シール片１８を外側シール片１４から剥離する。そして、三角形状（山形状）の折り込み片１６の頂点が外方に突出するように広げると、外方にくちばし状に突出するとともに上面視において菱形状に開口した注ぎ口２７が形成される。
【００２５】
また、紙パック容器１０に残存する液体を保管する場合などには、再び同図（ａ）に示すように、妻パネル１５を屋根パネル１２の間に折り込むことで簡易的に注ぎ口２７を閉止することができる。
【００２６】
このように、本実施形態の紙パック容器１０は、トップ部１１に、内方への折り込みと外方へ突出を可能にすることで開閉できる注ぎ口２７を備えている。さらに注ぎ口２７の上部略中央付近にはＶ字形状の切り欠き部２５を有しており、これにより、注ぎ口２７から流出する液体の液だれ（液漏れ）を防止することができる。
【００２７】
従来の切り欠き部２５が設けられていない構成では、注ぎ口２７は、注ぎ終わりの段階において口ばし状の先端部に液体が或る程度収束するものの、その流出域は定まっていない。また、流出の幅方向（注ぎ口２７の幅方向Ｗ）においては平板状の部分（内側シール片）を通過することとなり液体は不特定に分散し易く、液体が注ぎ口の外側に回り込みやすく、液だれが生じる問題があった。
【００２８】
一方、本実施形態では同図（ｂ）、同図（ｃ）に示すように、注ぎ口２７の上端部（先端部）となる内側シール片１８の中央部において、上端縁側が広く下方に向かって狭くなる切り欠き部２５が設けられ、その谷部が内側シール片１８の幅方向Ｗ中心部、すなわち、注ぎ口２７の開口の中心部に位置する。
【００２９】
そして、注ぎ口２７を開放した状態（液体を注ぐ状態）では、切り欠き部２５によって注ぎ口２７の端部は、内部に向かって傾斜することになる。
【００３０】
図２を参照してより詳細に説明すると、Ｖ字形状の切り欠き部２５は、注ぎ口２７の内側方向より外側方向（突出方向）の方が、紙パック容器１０の高さ方向Ｈの高さが低くなるように形成される。つまり、注ぎ口２７の上端部（先端部）は、中心部において高低差が生じている。また、切り欠き部２５の上端から下端（谷部）に向かって、液体の流出域（幅方向Ｗの距離）が次第に狭められることになる。
【００３１】
従って、従来の切り欠き部２５が設けられていない構成において菱形状の注ぎ口２７の先端において分散されていた液体の流出域を、本実施形態では、注ぎ終わりの段階において切り欠き部２５（及びその近傍）に収束させることができ、液体の流れを中心部に誘導できる。また、流出域の高さ方向Ｈの高低差と幅方向の狭小化によって切り欠き部２５を通過する液体の流速を大きく（速く）することができる。これにより注ぎ口２７における液体の残留を軽減することができ、液だれ（液漏れ）を防止することができる。
【００３２】
さらに、例えば、内側シール片１８と外側シール片１４の剥離が良好にできず、注ぎ口２７の上端部が意図しない形状に変形や破損して不均一な形状となる場合があっても、液体を切り欠き部２５（及びその近傍）に誘導できる。このため、切り欠き部２５を通過する液体の流速を大きく（速く）して注ぎ口２７における液体の残留を軽減することができ、液だれ（液漏れ）を防止することができる。
【００３３】
特に、本実施形態の紙パック容器１０は、低粘度の液体（例えば、牛乳やジュースなどの飲料）が収容される容器である。低粘度の液体の場合、切り欠き部２５を通過する液体の流速をより大きく（速く）することができ、切り欠き部２５を設けることによる液だれ（液漏れ）の防止に、より高い効果が得られる。
【００３４】
なお、同図（ａ）に拡大して示すように、切り欠き部２５の谷部（下端部）２５Ｖは、注ぎ口２７の突出方向先端Ｔから高さ方向Ｈにおいて０．５ｍｍ〜１．０ｍｍ上方に位置させるとよい。このようにすることで、紙パック容器１０の開封前や保存時に注ぎ口２７を閉じた際の機密性を高めることができる。
【００３５】
また、切り欠き部２５の縁部およびその周辺には、図２にハッチングで示すように撥水手段２８を設けるとよい。撥水手段２８としては例えば、食用油などの撥水剤を塗布（付着）した撥水層である。あるいは、撥水手段２８は、微細な凹凸加工面またはその他の撥水加工面であってもよい。このような構成により水切り効果を高め、更に液だれ（液漏れ）を防止することができる。
【００３６】
以上、本考案の紙パック容器１０は、上記した実施の形態に限定されるものではなく、本考案の要旨を逸脱しない範囲内において種々変更を加え得ることは勿論である。
【００３７】
例えば、上記の実施形態では、対向する妻部の一方側のみに注ぎ口２７が設けられる例を説明したが、両側に注ぎ口２７が設けられる構成であってもよく、その場合、それぞれの注ぎ口２７の上端中央付近に切り欠き部２５が設けられる。
【００３８】
また、切り欠き部２５は、注ぎ口２７の流域幅を狭める構成であれば谷部に向かって直線的に傾斜するＶ字状に限らず、同図（ｃ）に示すように内側に凸の湾曲したＶ字状であってもよい。
【産業上の利用可能性】
【００３９】
本考案の紙パック容器は、牛乳その他飲料などの液体を収容する紙パック容器に利用可能である。
【符号の説明】
【００４０】
１０    紙パック容器
１１    トップ部
１２    屋根パネル
１３    傾斜片
１４    外側シール片
１５    妻パネル
１６    折り込み片
１７    折り返し片
１８    内側シール片
２１    胴部
２２    側パネル
２５    切り欠き部
２７    注ぎ口
２８    撥水手段  
【図１】
0003217655.tif 000003
【図２】
0003217655.tif 000004